(57)【要約】【課題】展開及び膨張に伴うエアバッグの前後方向の揺動を抑制する。【解決手段】ファーサイドエアバッグ装置は、車両の側壁部に対し側方から加わる衝撃に応じてガス発生器３０から供給される膨張用ガスにより、隣り合う車両用シート間で、エアバッグ４０を固定部５５から斜め前上方へ向けて展開及び膨張させることで、側壁部から遠い側の車両用シート１３に正規の姿勢で着座している乗員Ｐ１の上半身を衝撃から保護する。エアバッグ４０の上端面には、展開及び膨張の途中に、車両の天井部２７に接触することで、エアバッグ４０の前方への揺動を抑制する第１揺動抑制面５１と、展開及び膨張の途中に天井部２７に接触することで、エアバッグ４０の後方への揺動を抑制する第２揺動抑制面５２とが形成されている。両揺動抑制面５１，５２は、エアバッグ４０の展開及び膨張の完了時に天井部２７から下方へ離間する。【選択図】図４
2018199401.tif 000002
【特許請求の範囲】
【請求項１】
複数の乗物用シートが幅方向に並設された乗物に対し、自身の後端部に設定した固定部においてガス発生器とともに固定されるエアバッグを備え、前記乗物の側壁部に対し側方から加わる衝撃に応じて前記ガス発生器から供給される膨張用ガスにより、隣り合う乗物用シート間で、前記エアバッグを前記固定部から斜め前上方へ向けて展開及び膨張させることで、前記側壁部から遠い側の乗物用シートに正規の姿勢で着座している乗員の上半身を衝撃から保護するファーサイドエアバッグ装置であり、
前記エアバッグの上端面には、前記エアバッグの展開及び膨張の途中に、前記乗物の天井部に接触することで、前記エアバッグの前方への揺動を抑制し、かつ前記エアバッグの展開及び膨張の完了時に前記天井部から下方へ離間する第１揺動抑制面が形成されるとともに、前記エアバッグの展開及び膨張の途中に前記天井部に接触することで、前記エアバッグの後方への揺動を抑制し、かつ前記エアバッグの展開及び膨張の完了時に前記天井部から下方へ離間する第２揺動抑制面が形成されているファーサイドエアバッグ装置。
【請求項２】
前記第１揺動抑制面及び前記第２揺動抑制面は、前記エアバッグの上端面の互いに前後方向に異なる箇所に形成されている請求項１に記載のファーサイドエアバッグ装置。
【請求項３】
前記第２揺動抑制面は、前記エアバッグの上端面の前記第１揺動抑制面よりも前方に形成されている請求項２に記載のファーサイドエアバッグ装置。
【請求項４】
前記エアバッグの上端面は平坦面を有しており、
前記第１揺動抑制面及び前記第２揺動抑制面は、前記平坦面の一部により構成されている請求項１〜３のいずれか１項に記載のファーサイドエアバッグ装置。
【請求項５】
前記エアバッグの上端部は、前記平坦面を有する布片により構成され、
前記布片は、同布片の周縁部において前記エアバッグの残部の上端周縁部に結合されている請求項４に記載のファーサイドエアバッグ装置。
【請求項６】
前記エアバッグの外殻部分はエアバッグ本体により構成され、
前記エアバッグ本体は、前記固定部を有する後下膨張部と、前記後下膨張部に対し前上側に隣接する前上膨張部とを備え、
前記前上膨張部は、自身の上端面に前記第１揺動抑制面及び前記第２揺動抑制面を有しており、
前記前上膨張部には、上下方向に延びて前記前上膨張部を前後に区画する前上区画部が１つ以上設けられている請求項１〜５のいずれか１項に記載のファーサイドエアバッグ装置。
【請求項７】
前記前上区画部は、前記前上膨張部の前後方向における中央部から同方向へ離れた箇所に設けられており、
前記エアバッグは、前記前上区画部の上端部から、前記エアバッグ本体の前端部及び後端部のうち前記前上区画部に近いものに向けて突出する突出部を備えている請求項６に記載のファーサイドエアバッグ装置。
【請求項８】
前記エアバッグは、前記突出部の先端から、同突出部の下側を前記前上区画部に向けて延びて、同前上区画部との間に膨張用ガスを溜めるガス溜め部をさらに備えている請求項７に記載のファーサイドエアバッグ装置。
【請求項９】
前記エアバッグ本体は、前記乗物の幅方向に配置された一対の本体布部を備え、
前記前上区画部は、両本体布部を、互いに接触させた状態で結合させており、
前記エアバッグは、前記前上区画部の上端部に接続され、かつ両本体布部を、互いに接触させた状態で結合させる環状の上環状結合部を備えており、
前記突出部は、前記上環状結合部のうち、前記前上区画部の上端部から、前記エアバッグ本体の前端部及び後端部のうち前記前上区画部に近いものに向けて突出する部分により構成され、
前記ガス溜め部は、前記上環状結合部のうち、前記突出部の先端から、同突出部の下側を前記前上区画部に向けて延びる部分により構成されている請求項８に記載のファーサイドエアバッグ装置。
【請求項１０】
前記前上区画部は、前記前上膨張部の前後方向における中央部から前方へ離れた箇所と、同中央部から後方へ離れた箇所との２箇所に設けられ、
前記上環状結合部は前記前上区画部毎に設けられており、
各上環状結合部の全体は、各前上区画部と、前記エアバッグ本体の前端部及び後端部のうち前記前上区画部に近いものとの間に配置されて同前上区画部の上端部に接続されており、
前記突出部は、各上環状結合部の上半部により構成され、
前記ガス溜め部は、各上環状結合部の下半部により構成されている請求項９に記載のファーサイドエアバッグ装置。
【発明の詳細な説明】
【技術分野】
【０００１】
本発明は、車両等の乗物の側壁部に対し側方から衝撃が加わった場合に、隣り合う乗物用シート間でエアバッグを展開及び膨張させることで、衝撃の加わった側壁部から遠い側の乗物用シートに着座している乗員を保護するファーサイドエアバッグ装置に関する。
【背景技術】
【０００２】
車幅方向に複数の車両用シートが並設された車両の中には、ファーサイドエアバッグ装置が搭載されたものがある。このタイプのエアバッグ装置におけるエアバッグは、車両用シートのうち、隣の車両用シートに近い側の側部内のサイドフレーム部に対し、自身の後端部に設定した固定部においてガス発生器とともに固定される。
【０００３】
そして、側突等により、車両のサイドドア等の側壁部に対し側方から衝撃が加わると、ガス発生器から膨張用ガスが噴出される。この膨張用ガスにより、隣り合う車両用シート間で、エアバッグが上記固定部から斜め前上方へ向けて展開及び膨張される。衝撃の加わった側壁部から遠い側の車両用シートに着座している乗員の上半身は、慣性により、その側壁部側へ倒れ込もうとするが、上記エアバッグによって受け止められ、衝撃から保護される。
【０００４】
上記ファーサイドエアバッグ装置では、一般に、乗員の頭部も保護対象とされており、エアバッグの上部が頭部の側方で展開及び膨張される。エアバッグの上部が、一般的なサイドエアバッグ装置におけるエアバッグの上部よりも高い箇所で展開及び膨張される。これに伴い、ファーサイドエアバッグ装置では、固定部とエアバッグの前上端部との距離が、一般的なサイドエアバッグ装置における同距離よりも長くなる。そのため、エアバッグが展開及び膨張を開始すると、ガス発生器からの膨張用ガスにより、エアバッグが前方へ揺動する。次に、上記前方への揺動の反動で、エアバッグが後方へ揺動する。エアバッグが上記のように前後方向に揺動することから、このエアバッグを乗員の側方に安定した姿勢で位置させることが難しい。
【０００５】
そこで、エアバッグの揺動を抑制する技術が種々考えられている。例えば、特許文献１に記載されたファーサイドエアバッグ装置では、ガス発生器よりも上下方向の両側に長い支持板が用いられ、これがサイドフレーム部に固定されている。このファーサイドエアバッグ装置は、ガス発生器の上下両側で支持板によってエアバッグを支持することで、エアバッグの揺動を抑制しようとするものである。
【０００６】
上記特許文献１では、さらに、長尺帯状の布材により形成されたテザーが用いられている。テザーは、エアバッグと支持板との間に架け渡されている。そのため、エアバッグの展開及び膨張に伴いテザーが引っ張られて緊張状態になることで、エアバッグの揺動が規制される。
【先行技術文献】
【特許文献】
【０００７】
【特許文献１】特開２０１６−１０７７２１号公報
【発明の概要】
【発明が解決しようとする課題】
【０００８】
ところが、上記特許文献１に記載された従来のファーサイドエアバッグ装置のうち、テザーを用いないものでは、支持板の近くのエアバッグ下部については揺動を抑制できるものの、支持板から離れたエアバッグ上部については、揺動を十分に抑制できないおそれがある。また、支持板にテザーが付加されたものでは、テザーが引っ張られる方向である前方へのエアバッグ上部の揺動を抑制できるものの、後方への揺動を抑制することが難しい。
【０００９】
本発明は、このような実情に鑑みてなされたものであって、その目的は、展開及び膨張に伴うエアバッグの前後方向の揺動を抑制することのできるファーサイドエアバッグ装置を提供することにある。
【課題を解決するための手段】
【００１０】
上記課題を解決するファーサイドエアバッグ装置は、複数の乗物用シートが幅方向に並設された乗物に対し、自身の後端部に設定した固定部においてガス発生器とともに固定されるエアバッグを備え、前記乗物の側壁部に対し側方から加わる衝撃に応じて前記ガス発生器から供給される膨張用ガスにより、隣り合う乗物用シート間で、前記エアバッグを前記固定部から斜め前上方へ向けて展開及び膨張させることで、前記側壁部から遠い側の乗物用シートに正規の姿勢で着座している乗員の上半身を衝撃から保護するファーサイドエアバッグ装置であり、前記エアバッグの上端面には、前記エアバッグの展開及び膨張の途中に、前記乗物の天井部に接触することで、前記エアバッグの前方への揺動を抑制し、かつ前記エアバッグの展開及び膨張の完了時に前記天井部から下方へ離間する第１揺動抑制面が形成されるとともに、前記エアバッグの展開及び膨張の途中に前記天井部に接触することで、前記エアバッグの後方への揺動を抑制し、かつ前記エアバッグの展開及び膨張の完了時に前記天井部から下方へ離間する第２揺動抑制面が形成されている。
【００１１】
ここで、上記天井部には、乗物の天井が含まれるほか、天井に取付けられた内装部品、例えば、乗物が車両である場合、オーバーヘッドコンソール等も含まれる。
上記の構成によれば、側突等により、乗物の側壁部に対し側方から衝撃が加わると、その衝撃の加わった側壁部から遠い側の乗物用シートに着座している乗員の上半身は、衝撃の加わった側壁部側へ倒れ込もうとする。
【００１２】
一方、ファーサイドエアバッグ装置では、上記側方からの衝撃に応じ、ガス発生器で膨張用ガスが発生されてエアバッグに供給される。後端部の固定部において乗物に固定されているエアバッグは、隣り合う乗物用シート間で、その固定部から斜め前上方へ向けて展開及び膨張する。この際、エアバッグは、展開及び膨張の完了時よりも高い位置まで展開及び膨張しようとする。また、エアバッグは、前方へ揺動し、次に、上記前方への揺動の反動で後方へ揺動しようとする。
【００１３】
しかし、展開及び膨張の完了時よりも高い位置に達した上記エアバッグは、その上端面に形成された第１揺動抑制面において乗物の天井部に接触する。第１揺動抑制面と天井部との間に生ずる摩擦により、エアバッグの前方への揺動の勢いが弱められる。また、第２揺動抑制面が天井部に接触する。第２揺動抑制面と天井部との間に生ずる摩擦により、エアバッグの後方への揺動の勢いが弱められる。
【００１４】
従って、第１揺動抑制面及び第２揺動抑制面の天井部との接触がないものに比べ、また、支持板がガス発生器の上下両側でエアバッグを支持したり、テザーを用いたりする従来のものに比べ、展開及び膨張の途中におけるエアバッグの揺動量が少なくなる。エアバッグを乗員の側方に安定した姿勢で位置させることが可能となる。
【００１５】
ここで、エアバッグが天井部に接触した状態で展開及び膨張を完了すると、エアバッグが折れ曲がったり、乗員の側方から前方又は後方へ外れた箇所に位置したりするおそれがある。
【００１６】
この点、エアバッグの展開及び膨張の完了時には、途中よりも、乗物の幅方向における膨張厚みが大きくなる。一方で、エアバッグは、固定部において乗物に固定されている。そのため、エアバッグの上端部は、上述した展開及び膨張の途中よりも低くなり、第１揺動抑制面及び第２揺動抑制面がともに天井部から下方へ離間する。従って、エアバッグが折れ曲がったり、乗員の側方から前方又は後方へ外れた箇所に位置したりすることが起こりにくい。展開及び膨張完了時にもエアバッグを乗員の側方に安定した姿勢で位置させることが可能となる。
【００１７】
その結果、エアバッグは、衝撃の加わった側壁部側へ倒れ込む乗員の上半身を受け止め、衝撃から乗員を保護する。
上記ファーサイドエアバッグ装置において、前記第１揺動抑制面及び前記第２揺動抑制面は、前記エアバッグの上端面の互いに前後方向に異なる箇所に形成されていることが好ましい。
【００１８】
上記の構成によれば、エアバッグが前方へ揺動する際には第１揺動抑制面が、また同エアバッグが後方へ揺動する際には、第１揺動抑制面から前後方向に離れた箇所の第２揺動抑制面が、それぞれ天井部に接触される。
【００１９】
従って、エアバッグが前方へ揺動する場合と後方へ揺動する場合とで、天井部との接触位置、接触面等の最適な接触状態が異なっても、第１揺動抑制面及び第２揺動抑制面を天井部に対し最適な接触状態で接触させることが可能となる。
【００２０】
上記ファーサイドエアバッグ装置において、前記第２揺動抑制面は、前記エアバッグの上端面の前記第１揺動抑制面よりも前方に形成されていることが好ましい。
上記の構成によれば、エアバッグが前方へ揺動しようとすると、第２揺動抑制面よりも後方の第１揺動抑制面が先に天井部に接触する。その後に、エアバッグが後方へ揺動しようとすると、第１揺動抑制面よりも前方の第２揺動抑制面が天井部に接触する。
【００２１】
従って、エアバッグが前方へ揺動する場合と後方へ揺動する場合とで、天井部との最適な接触状態が異なっても、第１揺動抑制面とそれよりも前方の第２揺動抑制面とをそれぞれ天井部に対し、最適な接触状態で接触させることが可能である。
【００２２】
上記ファーサイドエアバッグ装置において、前記エアバッグの上端面は平坦面を有しており、前記第１揺動抑制面及び前記第２揺動抑制面は、前記平坦面の一部により構成されていることが好ましい。
【００２３】
上記のように、第１揺動抑制面及び第２揺動抑制面が平坦面により構成されることで、天井部に接触したときの接触面積が多くなる。第１揺動抑制面と天井部との間に生ずる摩擦が大きくなり、エアバッグの前方への揺動を抑制するより大きな効果が得られる。また、第２揺動抑制面と天井部との間に生ずる摩擦が大きくなり、エアバッグの後方への揺動を抑制するより大きな効果が得られる。
【００２４】
上記ファーサイドエアバッグ装置において、前記エアバッグの上端部は、前記平坦面を有する布片により構成され、前記布片は、同布片の周縁部において前記エアバッグの残部の上端周縁部に結合されていることが好ましい。
【００２５】
上記の構成によれば、エアバッグの乗員側部分の上端周縁部と、反乗員側部分の上端周縁部とを結合させることで、布片を用いずにエアバッグの上端部を形成する場合に比べ、乗物の幅方向におけるエアバッグの上端部の膨張厚みを大きくすることが可能である。これは、布片を用いない場合、乗員側部分と反乗員側部分とが結合された箇所では、乗物の幅方向におけるエアバッグの膨張厚みが「０」となるのに対し、布片を用いた場合、エアバッグのうち布片が残部に結合された箇所では、同方向における布片の寸法が、エアバッグの同方向の膨張厚みとなるからである。
【００２６】
上記ファーサイドエアバッグ装置において、前記エアバッグの外殻部分はエアバッグ本体により構成され、前記エアバッグ本体は、前記固定部を有する後下膨張部と、前記後下膨張部に対し前上側に隣接する前上膨張部とを備え、前記前上膨張部は、自身の上端面に前記第１揺動抑制面及び前記第２揺動抑制面を有しており、前記前上膨張部には、上下方向に延びて前記前上膨張部を前後に区画する前上区画部が１つ以上設けられていることが好ましい。
【００２７】
上記の構成によるように、エアバッグ本体の前上膨張部に、上下方向に延びて同前上膨張部を前後に区画する前上区画部が設けられることで、設けられないものに比べ、前上膨張部の剛性が高められる。そのため、エアバッグ本体が前後方向に揺動して、第１揺動抑制面及び第２揺動抑制面が天井部に接触したときに、前上膨張部が上下方向に折れ曲がることが抑制される。
【００２８】
上記ファーサイドエアバッグ装置において、前記前上区画部は、前記前上膨張部の前後方向における中央部から同方向へ離れた箇所に設けられており、前記エアバッグは、前記前上区画部の上端部から、前記エアバッグ本体の前端部及び後端部のうち前記前上区画部に近いものに向けて突出する突出部を備えていることが好ましい。
【００２９】
上記の構成によれば、ガス発生器で発生されてエアバッグ本体に供給された膨張用ガスの一部は、前上膨張部において前上区画部が設けられた箇所では、その前上区画部と、エアバッグ本体の前端部及び後端部のうち、同前上区画部に近いものとの間を、その前上区画部に沿って下方から上方へ向けて流れる。前上区画部の上端部に設けられた突出部は、膨張用ガスの上記上方へ向かう流れを妨げようとする。突出部が設けられることで、設けられない場合に比べ、膨張用ガスが前上区画部に沿って上方へ流れにくくなる。その分、前上膨張部のうち、前上区画部よりも突出部の突出している側の部分の内圧が高くなる。前上膨張部が上下方向に折れ曲がることが起こりにくくなる。
【００３０】
上記ファーサイドエアバッグ装置において、前記エアバッグは、前記突出部の先端から、同突出部の下側を前記前上区画部に向けて延びて、同前上区画部との間に膨張用ガスを溜めるガス溜め部をさらに備えていることが好ましい。
【００３１】
上記の構成によれば、突出部によって上方へ向かう流れを妨げられた膨張用ガスの一部は、ガス溜め部と前上区画部との間に溜められる。この膨張用ガスは、ガス溜め部よりも上方へ流れることを規制される。そのため、ガス溜め部が設けられない場合に比べ、前上膨張部のうち、前上区画部よりも突出部の突出している側の部分の内圧がさらに高くなる。前上膨張部が上下方向に折れ曲がることがさらに起こりにくくなる。
【００３２】
上記ファーサイドエアバッグ装置において、前記エアバッグ本体は、前記乗物の幅方向に配置された一対の本体布部を備え、前記前上区画部は、両本体布部を、互いに接触させた状態で結合させており、前記エアバッグは、前記前上区画部の上端部に接続され、かつ両本体布部を、互いに接触させた状態で結合させる環状の上環状結合部を備えており、前記突出部は、前記上環状結合部のうち、前記前上区画部の上端部から、前記エアバッグ本体の前端部及び後端部のうち前記前上区画部に近いものに向けて突出する部分により構成され、前記ガス溜め部は、前記上環状結合部のうち、前記突出部の先端から、同突出部の下側を前記前上区画部に向けて延びる部分により構成されていることが好ましい。
【００３３】
上記の構成によれば、両本体布部を、互いに接触させた状態で結合させるものが前上区画部とされているエアバッグにあって、環状をなす上環状結合部が前上区画部の上端部に接続されている。また、上環状結合部は、両本体布部を、互いに接触させた状態で結合させている。この上環状結合部のうち、前上区画部の上端部から、エアバッグ本体の前端部及び後端部のうち前上区画部に近い側の端部に向けて突出する部分が、突出部として機能する。また、上環状結合部のうち、突出部の先端から、同突出部の下側を前上区画部に向けて延びる部分がガス溜め部として機能する。
【００３４】
上記ファーサイドエアバッグ装置において、前記前上区画部は、前記前上膨張部の前後方向における中央部から前方へ離れた箇所と、同中央部から後方へ離れた箇所との２箇所に設けられ、前記上環状結合部は前記前上区画部毎に設けられており、各上環状結合部の全体は、各前上区画部と、前記エアバッグ本体の前端部及び後端部のうち前記前上区画部に近いものとの間に配置されて同前上区画部の上端部に接続されており、前記突出部は、各上環状結合部の上半部により構成され、前記ガス溜め部は、各上環状結合部の下半部により構成されていることが好ましい。
【００３５】
上記の構成によれば、各上環状結合部における上半部が突出部として機能し、下半部がガス溜め部として機能する。
また、各上環状結合部の全体が、各前上区画部と、エアバッグ本体の前端部及び後端部のうち同前上区画部に近いものとの間に配置されている。各上環状結合部は、両前上区画部間には配置されていない。そのため、前上膨張部において、両前上区画部によって挟まれた領域の乗物の幅方向における膨張厚みが大きくなる。この領域によって乗員の上半身、例えば、頭部を衝撃から保護する性能が高くなる。
【発明の効果】
【００３６】
上記ファーサイドエアバッグ装置によれば、展開及び膨張に伴うエアバッグの前後方向の揺動を抑制することができる。
【図面の簡単な説明】
【００３７】
【図１】車両用のファーサイドエアバッグ装置に具体化した一実施形態を示す図であり、同エアバッグ装置が搭載された車両の部分平面図。
【図２】一実施形態において、車両用シート、エアバッグ、乗員等を前方から見た断面図。
【図３】一実施形態において、エアバッグモジュールが組み込まれたシートバックの側部の内部構造を示す部分平断面図。
【図４】図４（ａ）は、一実施形態において、展開及び膨張を完了したエアバッグを車両用シート、乗員等とともに示す側面図、図４（ｂ）は図４（ａ）の一部を拡大して示す部分側面図。
【図５】一実施形態において、エアバッグ本体が展開非膨張状態にされたエアバッグモジュールの側面図。
【図６】一実施形態において、エアバッグ本体が展開及び膨張した状態のエアバッグを前方から見た正面図。
【図７】図５における７−７線断面図。
【図８】図５における８−８線断面図。
【図９】図９（ａ）は、図５のエアバッグモジュールの内部構造を示す側断面図、図９（ｂ）は図９（ａ）の一部を拡大して示す部分側断面図。
【図１０】一実施形態におけるエアバッグ本体の前方への揺動が抑制される様子を説明する部分側面図。
【図１１】一実施形態におけるエアバッグ本体の後方への揺動が抑制される様子を説明する部分側面図。
【図１２】変形例を説明する図であり、図５に対応するエアバッグモジュールの側面図。
【図１３】エアバッグ本体の変形例を示す図であり、図７に対応する部分断面図。
【発明を実施するための形態】
【００３８】
以下、車両用のファーサイドエアバッグ装置に具体化した一実施形態について、図１〜図１１を参照して説明する。
なお、以下の記載においては、車両の前進方向を前方とし、後進方向を後方として説明する。また、上下方向は車両の上下方向を意味し、左右方向は車両の幅方向（車幅方向）であって車両の前進時の左右方向と一致するものとする。また、車幅方向を規定するために、乗員を基準として、乗員に近づく側を「乗員側」といい、乗員から遠ざかる側を「反乗員側」という場合がある。さらに、車両用シートには、衝突試験用のダミーと同様の体格を有する乗員が正規の姿勢で着座しているものとする。
【００３９】
図１に示すように、乗物としての車両１０の車幅方向の両側部は、ドア、ピラー等からなる側壁部１１，１２によって構成されている。車室内の前部には、一対の車両用シート１３，１４が乗物用シートとして、車幅方向に並べられた状態で配置されている。側壁部１１に近い側の車両用シート１３は運転席として機能するものであり、ここに乗員（運転者）Ｐ１が着座する。側壁部１２に近い側の車両用シート１４は助手席として機能するものであり、ここに乗員Ｐ２が着座する。両車両用シート１３，１４間の下部には、センターコンソールボックス１５が配置されている。車両用シート１３，１４は互いに同様の構成を有している。そのため、ここでは一方の車両用シート１３についてのみ説明し、車両用シート１４については説明を省略する。この点は、車両用シート１３，１４毎に設けられるファーサイドエアバッグ装置についても同様である。
【００４０】
図２及び図４（ａ）に示すように、車両用シート１３は、シートクッション１６と、そのシートクッション１６の後側から起立し、かつ傾斜角度を調整可能に構成されたシートバック１７と、シートバック１７の上に配置されたヘッドレスト１８とを備えている。なお、図４（ａ）では、シートクッション１６の図示が省略されている。
【００４１】
次に、車両用シート１３のシートバック１７のうち、隣の車両用シート１４に近い側の側部の内部構造について説明する。
シートバック１７の内部には、その骨格をなすシートフレームが配置されている。シートフレームの一部は、図３に示すように、シートバック１７のうち、隣の車両用シート１４に近い側の側部内に配置されており、この部分（以下「サイドフレーム部２１」という）は、金属板を曲げ加工等することによって形成されている。
【００４２】
サイドフレーム部２１は、前後方向及び上下方向に延びる板状をなしている。サイドフレーム部２１を含むシートフレームの前側には、ウレタンフォーム等の弾性材からなるシートパッド２２が配置されている。また、シートフレームの後側には、合成樹脂等によって形成された硬質のバックボード２３が配置されている。なお、シートパッド２２は表皮によって被覆されているが、図３ではその表皮の図示が省略されている。
【００４３】
シートパッド２２内において、サイドフレーム部２１よりも隣の車両用シート１４に近い側の近傍には、収納部２４が設けられている。この収納部２４には、ファーサイドエアバッグ装置の主要部をなすエアバッグモジュールＡＢＭが組み込まれている。図１に示すように、ファーサイドエアバッグ装置は、側突等により車両用シート１３から遠い側の側壁部１２に対しその側方から衝撃が加わった場合に、膨張用ガスをエアバッグ４０に供給し、エアバッグ４０を車両用シート１３，１４間で展開及び膨張させることで、車両用シート１３に着座している乗員Ｐ１を衝撃から保護するためのものである。
【００４４】
図３に示すように、収納部２４の前部であって隣の車両用シート１４に近い側の角部からは、斜め前方であって車両用シート１４に近づく側に向けてスリット２５が延びている。シートパッド２２の前部であって、車両用シート１４に近い側の角部２２ｃとスリット２５とによって挟まれた箇所（図３において二点鎖線の枠で囲んだ箇所）は、エアバッグ４０によって破断される破断予定部２６を構成している。
【００４５】
図１及び図４（ａ）に示すように、車室の天井（図示略）において、車両用シート１３，１４間の上方となる箇所には、内装部品としてオーバーヘッドコンソールが取付けられている。この箇所は、収納部２４の斜め前上方であり、エアバッグ４０が展開及び膨張する方向の前方となる箇所である。オーバーヘッドコンソールは、天井から下方へ突出していて、マップライト、小物入れ等を備えている。そして、本実施形態では、上記オーバーヘッドコンソールによって天井部２７が構成されている。
【００４６】
図３及び図５に示すように、エアバッグモジュールＡＢＭは、ガス発生器３０及びエアバッグ４０を主要な構成部材として備えている。次に、これらの構成部材の各々について説明する。
【００４７】
＜ガス発生器３０＞
ガス発生器３０は、インフレータ３１及びリテーナ３２を備えている。ここでは、インフレータ３１として、パイロタイプと呼ばれるタイプが採用されている。インフレータ３１は略円柱状をなしており、その内部には、膨張用ガスを発生するガス発生剤（図示略）が収容されている。インフレータ３１は、その上端部にガス噴出部３１ａを有している。また、インフレータ３１の下端部には、同インフレータ３１への作動信号の入力配線となるハーネス（図示略）が接続されている。
【００４８】
なお、インフレータ３１としては、上記ガス発生剤を用いたパイロタイプに代えて、高圧ガスの充填された高圧ガスボンベの隔壁を火薬等によって破断して膨張用ガスを噴出させるタイプ（ハイブリッドタイプ）が用いられてもよい。
【００４９】
一方、リテーナ３２は、膨張用ガスの噴出する方向を制御するディフューザとして機能するとともに、インフレータ３１を、エアバッグ４０と一緒にサイドフレーム部２１に取付ける機能を有する部材である。リテーナ３２の大部分は、金属板等の板材を曲げ加工等することによって略筒状に形成されていて、インフレータ３１を覆っている。
【００５０】
リテーナ３２の互いに上下方向へ離間した複数箇所には、このリテーナ３２をサイドフレーム部２１に取付けるための部材として、それぞれ乗員Ｐ１側へ延びるボルト３３が固定されている。なお、ガス発生器３０は、インフレータ３１とリテーナ３２とが一体になったものであってもよい。
【００５１】
＜エアバッグ４０＞
図５及び図９（ａ）に示すように、エアバッグ４０の外殻部分はエアバッグ本体４１によって構成されている。エアバッグ本体４１としては、強度が高く、かつ可撓性を有していて容易に折り畳むことのできる素材、例えばポリエステル糸、ポリアミド糸等を用いて形成した織布等が適している。
【００５２】
図５は、展開のみされて膨張されていない状態（以下「展開非膨張状態」という）のエアバッグ本体４１を、ガス発生器３０等とともに示している。また、図９（ａ）は、図５におけるエアバッグ本体４１の内部構造を示すべく、車幅方向の中央部分で切断されたエアバッグ本体４１を、ガス発生器３０等とともに示している。
【００５３】
エアバッグ本体４１は、上端部と、それ以外の部分（以下「残部４２」という）とで、異なる構成を有している。
エアバッグ本体４１の残部４２は、１枚の布片（基布、パネル布等とも呼ばれる）を、その中央部分に設定した折り線４３に沿って二つ折りして車幅方向に重ね合わせ、その重ね合わされた部分を袋状となるように結合させることにより形成されている。ここでは、エアバッグ本体４１の上記の重ね合わされた２つの部分を区別するために、乗員Ｐ１に近い側に位置するものを本体布部４４（図９（ａ）参照）といい、乗員Ｐ１から遠い側に位置するものを本体布部４５（図５参照）というものとする。
【００５４】
残部４２においては、両本体布部４４，４５の外形形状が、折り線４３を対称軸として互いに線対称の関係にある。両本体布部４４，４５の形状及び大きさは、図２及び図４（ａ）に示すように、エアバッグ本体４１が展開及び膨張を完了したときに、乗員Ｐ１の上半身の多くの部分、本実施形態では、胸部ＰＴから頭部ＰＨにかけての領域の側方に位置する形状及び大きさに形成されている。エアバッグ本体４１の下端部は、センターコンソールボックス１５の上端よりも下方に位置する。
【００５５】
なお、図５及び図９（ａ）に示すように、本実施形態では、折り線４３が残部４２の後端部に位置するように布片が二つ折りされているが、折り線４３が他の端部、例えば前端部、上端部、下端部等に位置するように布片が二つ折りされてもよい。また、残部４２は折り線４３に沿って分割された２枚の布片からなるものであってもよい。さらに、両本体布部４４，４５の少なくとも一方は、２枚以上の布片によって構成されてもよい。
【００５６】
両本体布部４４，４５の上記結合は、それらの周縁部の前部及び下部と後上部とに沿って設けられた複数の周縁結合部４６においてなされている。各周縁結合部４６は、両本体布部４４，４５の周縁部のうち、後端部（折り線４３の近傍部分）と、上端部及び後下端部とを除く部分を、縫製（縫糸で縫合）することにより形成されている。この点は、後述する周縁結合部４８、結合部６４〜６６、前上区画部７０、上環状結合部７１、下環状結合部７４及び環状結合部７５についても同様である。
【００５７】
上記縫製に関し、図５、図６、図９及び図１２では、３つの線種によって縫製部分が表現されている。１つ目の線種は、一定長さの太線を断続的に並べて表現した線であり、これは、縫糸をエアバッグ４０の外部から見た状態を示している（図５における周縁結合部４６等参照）。２番目の線種は、一定長さ（一般的な破線よりも長い長さ）の細線を断続的に並べて表現した線であり、これは、例えば布片の奥に位置していて直接は見えない（隠れている）縫糸の状態を示している（図５における結合部６６等参照）。３番目の線種は、点を一定間隔おきに並べて表現した線であり、これは、縫製部分を通る面における縫糸の断面を示している（図９（ａ）における周縁結合部４６等参照）。
【００５８】
なお、周縁結合部４６は、上記縫糸を用いた縫合とは異なる手段、例えば接着剤を用いた接着によって形成されてもよい。この点は、上記周縁結合部４８、結合部６４〜６６、前上区画部７０、上環状結合部７１、下環状結合部７４及び環状結合部７５についても同様である。
【００５９】
図７及び図９（ａ），（ｂ）に示すように、エアバッグ本体４１の上端部は、両本体布部４４，４５の上端部間において、後側ほど高くなるように傾斜した状態で配置された増厚布部４７によって構成されている。増厚布部４７は、上記残部４２とは別の布片によって形成されている。増厚布部４７の周縁部と、残部４２の上端周縁部とは、それらに沿って設けられた上記周縁結合部４６の上端部と、周縁結合部４６とは別に設けられた周縁結合部４８とによって結合されている。すなわち、増厚布部４７の前端部は、周縁結合部４６の前上端部によって両本体布部４４，４５の前上端部に共縫いされている。増厚布部４７の後端部は、周縁結合部４６の後上端部によって両本体布部４４，４５の後上端部に共縫いされている。増厚布部４７の乗員Ｐ１側の周縁部は、周縁結合部４８によって本体布部４４の上端周縁部に結合されている。増厚布部４７の反乗員Ｐ１側の周縁部は、周縁結合部４８によって本体布部４５の上端周縁部に結合されている。
【００６０】
上記増厚布部４７は、上記残部４２の膨張に伴い車幅方向の両側に引っ張られて緊張状態となる。この緊張状態では、増厚布部４７の上面の一部は、第１揺動抑制面５１及び第２揺動抑制面５２を含む平坦面となる。
【００６１】
第１揺動抑制面５１は、次の条件を満たす態様で形成されている。
条件１：増厚布部４７の平坦面における後部に位置すること（図９（ａ）参照）。
条件２：エアバッグ本体４１の展開及び膨張の途中に天井部２７に接触し、同エアバッグ本体４１の前方への揺動を抑制すること（図１０参照）。
【００６２】
条件３：エアバッグ本体４１の展開及び膨張の完了時に天井部２７から下方へ離間すること（図４（ｂ）参照）。
第２揺動抑制面５２は、次の条件を満たす態様で形成されている。
【００６３】
条件４：増厚布部４７の平坦面における第１揺動抑制面５１よりも前方に位置すること（図９（ａ）参照）。
条件５：エアバッグ本体４１の展開及び膨張の途中であって、第１揺動抑制面５１の接触後に天井部２７に接触し、同エアバッグ本体４１の後方への揺動を抑制すること（図１１参照）。
【００６４】
条件６：エアバッグ本体４１の展開及び膨張の完了時に天井部２７から下方へ離間すること（図４（ｂ）参照）。
図５及び図８に示すように、両本体布部４４，４５及び増厚布部４７の間であって、周縁結合部４６，４８及び折り線４３によって囲まれた空間は、膨張用ガスによって展開及び膨張させられる膨張部となっている。
【００６５】
両本体布部４４，４５の後下端部では、周縁結合部４６による結合がなされていない。この箇所は、ガス発生器３０の挿入口５３を構成している。本体布部４４における挿入口５３の上方近傍であって、互いに上下方向に離間した複数箇所には、ボルト孔５４があけられている。エアバッグ本体４１のボルト孔５４の周辺部分は、同エアバッグ本体４１がサイドフレーム部２１に固定される箇所である固定部５５を構成している。
【００６６】
エアバッグ４０は、エアバッグ本体４１の車幅方向の膨張厚みを規制する厚み規制部として、後下区画部６０、前上区画部７０、上環状結合部７１、下環状結合部７４及び環状結合部７５を備えている。
【００６７】
後下区画部６０及び前上区画部７０は、エアバッグ本体４１の膨張厚みを規制する機能のほかに、エアバッグ本体４１の膨張部を複数に区画する機能も有している。後下区画部６０は、一般的に「テザー」と呼ばれるものと同様の構成を有している。また、前上区画部７０、上環状結合部７１、下環状結合部７４及び環状結合部７５は、一般的に「シーム」と呼ばれるものと同様の構成を有している。
【００６８】
＜後下区画部６０＞
図５、図８及び図９（ａ）に示すように、後下区画部６０は、ガス発生器３０に対し斜め前上方に離間した箇所に配置されている。この後下区画部６０は、エアバッグ本体４１と同様の素材からなる一対の布部６１を備えている。両布部６１は、それぞれ独立した布片によって構成されている。両布部６１は、エアバッグ本体４１が展開非膨張状態にあるとき、車幅方向に重ねられた状態となる。
【００６９】
より詳しくは、各布部６１の主要部は本体部６２によって構成されている。各本体部６２は、エアバッグ本体４１の膨張部を、後下膨張部５６と、同本体部６２を介して後下膨張部５６の前上側に位置する前上膨張部５７とに区画する。各本体部６２は、後部ほど高くなるように傾斜した状態で配置されている。
【００７０】
各本体部６２は、その長さ方向のどの箇所でも均一な幅を有している。各本体部６２の前下端部は、周縁結合部４６の前下部から後方へ離間している。各本体部６２の後上端部は、周縁結合部４６の後部から前方へ離間している。
【００７１】
後下区画部６０は、上記布部６１毎の本体部６２に加え、前下延長部６３を備えている。布部６１毎の前下延長部６３は、本体部６２よりも狭い幅を有している。各前下延長部６３は、本体部６２の後下部を起点とし、前下方へ向けて延びている。従って、各布部６１の長さは、その後下部では、前上部よりも前下延長部６３の分だけ長くなっている。本実施形態では、布部６１毎の前下延長部６３は、エアバッグ本体４１の前端部まで延びている。
【００７２】
乗員Ｐ１側の布部６１は、これに隣接する本体布部４４に対し、結合部６４によって結合されている（図９（ａ）、図６参照）。この結合部６４は、乗員Ｐ１側の布部６１の後下縁部に沿って、前下延長部６３及び本体部６２に跨って延びている。結合部６４の前下端部は周縁結合部４６の前下部に交差している。
【００７３】
同様に、反乗員Ｐ１側の布部６１は、これに隣接する本体布部４５に対し、結合部６５によって結合されている（図５参照）。この結合部６５は、反乗員Ｐ１側の布部６１の後下縁部に沿って、前下延長部６３及び本体部６２に跨って延びている。結合部６５の前下端部は周縁結合部４６の前下部に交差している。
【００７４】
両布部６１は、両結合部６４，６５から離間した箇所である、両本体部６２の前上縁部に沿って設けられた結合部６６によって相互に結合されている。結合部６６は、結合部６４，６５とは異なり、両本体部６２にのみ設けられており、前下延長部６３には設けられていない。
【００７５】
こうした結合態様により、後下区画部６０は、両本体布部４４，４５間に架け渡されている。そして、後下区画部６０は、緊張状態になることで、エアバッグ本体４１における同後下区画部６０の近傍部分の車幅方向の膨張厚みを規制する。
【００７６】
図５及び図９（ａ）に示すように、エアバッグ本体４１内であって、布部６１毎の本体部６２の前下端部と、周縁結合部４６の前下部との間の空間は、前下連通路６７を構成している。表現を変えると、前下連通路６７は、本体部６２の前下端部に対し前下側に隣接する箇所に位置している。この前下連通路６７により、後下膨張部５６及び前上膨張部５７が、後下区画部６０の前下側で連通されている。
【００７７】
エアバッグ本体４１内であって、布部６１毎の本体部６２の後上端部と、周縁結合部４６の後部との間の空間は、後上連通路６８を構成している。表現を変えると、後上連通路６８は、本体部６２の後上端部に対し後上側に隣接する箇所に位置している。この後上連通路６８により、後下膨張部５６及び前上膨張部５７が、後下区画部６０の後上側で連通されている。
【００７８】
＜前上区画部７０、上環状結合部７１及び下環状結合部７４＞
図５及び図７に示すように、前上区画部７０、上環状結合部７１及び下環状結合部７４は、いずれも両本体布部４４，４５を互いに接触させた状態で結合させることによって形成されている。
【００７９】
前上区画部７０は、前上膨張部５７であって、前後方向における中央部と、エアバッグ本体４１の前端部との間に位置している。この前上区画部７０の箇所は、エアバッグ本体４１が展開及び膨張を完了した状態で、乗員Ｐ１の頭部ＰＨの前方近傍となる箇所である。前上区画部７０は、上下方向へ直線状に延びている。前上区画部７０の上端部は、上記増厚布部４７に接近した箇所に位置し、下端部は、後下区画部６０に接近した箇所に位置している。前上区画部７０は、前上膨張部５７を、同前上区画部７０よりも前側の膨張部と、後側の膨張部とに区画している。
【００８０】
図７及び図９（ｂ）に示すように、上環状結合部７１は、前上区画部７０の上端部の前側に位置している。上環状結合部７１は円環状をなしており、自身の後端部において前上区画部７０の上端部に接続されている。上環状結合部７１の上半部は、前上区画部７０の上端部から、エアバッグ本体４１の前端部に向けて突出する半円弧状の突出部７２を構成している。突出部７２は、前上区画部７０に沿う膨張用ガスＧ１の上方への流れを妨げる機能を有している。上環状結合部７１の下半部は、突出部７２の先端から、同突出部７２の下側を前上区画部７０に向けて延びる半円弧状のガス溜め部７３を構成している。ガス溜め部７３の先端は、前上区画部７０の上端部に接続されている。ガス溜め部７３は、突出部７２によって上方へ流れにくくされた膨張用ガスＧ１を、前上区画部７０との間に溜める機能を有している。
【００８１】
図５及び図９（ａ）に示すように、下環状結合部７４は、前上区画部７０の下端部の後側に位置している。下環状結合部７４は円環状をなしており、自身の前端部において前上区画部７０の下端部に接続されている。
【００８２】
＜環状結合部７５＞
環状結合部７５は、両本体布部４４，４５を互いに接触させた状態で結合させることによって形成されている。
【００８３】
環状結合部７５は、前上膨張部５７であって、前後方向における中央部と、エアバッグ本体４１の後端部との間に位置している。環状結合部７５は、上下方向については、後下区画部６０に接近した箇所に位置している。環状結合部７５は、長円状をなしているが、円環状等、他の環状に形成されてもよい。
【００８４】
＜インナチューブ８０＞
図８及び図９（ａ）に示すように、上記後下膨張部５６内には、ガス発生器３０の少なくともガス噴出部３１ａを取り囲んだ状態でインナチューブ８０が配置されている。インナチューブ８０は、ガス発生器３０のガス噴出部３１ａから噴出された膨張用ガスＧ１を、前下方に向かうように整流する機能を有している。
【００８５】
インナチューブ８０の形成のために、エアバッグ本体４１と同様の素材によって形成された１枚の布片が用いられている。布片は、その車幅方向の中央部に設定した折り線８２に沿って二つ折りされて車幅方向に重ね合わされている。ここでは、インナチューブ８０の上記の重ね合わされた２つの部分を区別するために、乗員Ｐ１側に位置するものを布部８３といい、反乗員Ｐ１側に位置するものを布部８４というものとする。
【００８６】
両布部８３，８４の前上部及び上部は、結合部８５によって相互に結合されている。また、両布部８３，８４の下部は、上記周縁結合部４６の一部（後下部）によって、両本体布部４４，４５に共縫いされている。両布部８３，８４の後端部を除く２箇所は、相互に結合されていない。上記２箇所のうちの一方は開口８６を構成し、他方はガス発生器３０の挿入口８８を構成している。
【００８７】
布部８３において挿入口８８の上方近傍であって、互いに上下方向に離間した複数箇所には、ボルト孔８７があけられている。インナチューブ８０は、ボルト孔８７を、本体布部４４の対応するボルト孔５４に合致させられた状態で、縫合等の結合手段（図示略）によってエアバッグ本体４１に結合されている。
【００８８】
なお、インナチューブ８０は、折り線８２が自身の前端部に位置するように二つ折りされてもよい。この場合には、インナチューブ８０における一対の布部８３，８４は、それらの後端部において相互に結合されることになる。また、インナチューブ８０は、布部８３，８４が折り線８２に沿って分離されたものであってもよい。
【００８９】
そして、ガス発生器３０が、挿入口５３，８８を通じて挿入されることで、後下膨張部５６内の後端部であって、インナチューブ８０内の後端部に配置されている。さらに、ボルト３３がボルト孔８７，５４に挿通されている。この挿通により、ガス発生器３０がインナチューブ８０及び後下膨張部５６に対し位置決めされた状態で係止されている。
【００９０】
上記エアバッグ本体４１、後下区画部６０、前上区画部７０、上環状結合部７１、下環状結合部７４、環状結合部７５及びインナチューブ８０によってエアバッグ４０が構成されている。
【００９１】
ところで、上記エアバッグモジュールＡＢＭでは、図５に示すエアバッグ４０が折り畳まれることにより、図３に示すコンパクトな収納用形態にされている。これは、エアバッグモジュールＡＢＭを、シートバック１７の側部における限られた大きさの収納部２４に対し、収納に適したものとするためである。エアバッグ４０を折り畳む態様としては、例えば、ロール折り、蛇腹折り等が適している。ロール折りは、エアバッグ４０の一方の端部を中心とし、その周りに他の部分を巻き付ける折り態様である。蛇腹折りは、エアバッグ４０を、一定幅ずつ交互に折り方向を変えながら折り返す折り態様である。
【００９２】
エアバッグ４０が収納用形態にされたエアバッグモジュールＡＢＭは、収納部２４に収納されている。図３及び図８に示すように、ガス発生器３０から延びてインナチューブ８０及びエアバッグ本体４１に挿通されたボルト３３が、サイドフレーム部２１に対し反乗員Ｐ１側から挿通されている。各ボルト３３にナット３４が乗員Ｐ１側から締付けられることにより、エアバッグ４０の後端部がガス発生器３０とともに、サイドフレーム部２１に取付けられている。このようにして、ガス発生器３０のボルト３３が利用されて、エアバッグ４０が自身の後端部に設定した固定部５５においてガス発生器３０とともにサイドフレーム部２１に固定されている。
【００９３】
なお、ガス発生器３０は、上述したボルト３３及びナット３４とは異なる部材によってサイドフレーム部２１に取付けられてもよい。また、ブラケット（図示略）が追加され、ガス発生器３０がブラケットを介して、サイドフレーム部２１に間接的に取付けられてもよい。また、リテーナ３２が用いられることなくインフレータ３１がサイドフレーム部２１に直接取付けられてもよい。
【００９４】
ファーサイドエアバッグ装置は、上述したエアバッグモジュールＡＢＭのほかに、図４（ａ）に示す衝撃センサ９１及び制御装置９２を備えている。衝撃センサ９１は加速度センサ等からなり、側壁部１２等に設けられており、同側壁部１２等に側方から加えられる衝撃を検出する。制御装置９２は、衝撃センサ９１の検出信号に基づきインフレータ３１の作動を制御する。
【００９５】
さらに、車両１０には、車両用シート１３に近い側の側壁部１１に対し側方から衝撃が加わった場合に、その側壁部１１と車両用シート１３との間でエアバッグを展開及び膨張させて乗員Ｐ１を拘束し、衝撃から保護するタイプのサイドエアバッグ装置（ニアサイドエアバッグ装置とも呼ばれる、図示略）が設けられている。
【００９６】
また、車室内には、車両用シート１３に着座している乗員Ｐ１をその車両用シート１３に拘束するためのシートベルト装置（図示略）が設けられている。
次に、上記のように構成された本実施形態の作用及び効果について説明する。
【００９７】
側壁部１２に対し側方から所定値以上の衝撃が加わったことが衝撃センサ９１によって検出されないときには、制御装置９２からインフレータ３１に対し、これを作動させるための作動信号が出力されず、膨張用ガスが噴出されない。図３に示すように、エアバッグ４０は、収納用形態で収納部２４に収納され続ける。
【００９８】
図１及び図４（ａ）に示すように、側突等による衝撃が一方の側壁部１２に対し側方から加わると、衝撃の加わった側壁部１２から遠い側の乗員Ｐ１の上半身が、慣性により側壁部１２側へ倒れ込もうとする。
【００９９】
また、側壁部１２に対し側方から所定値以上の衝撃が加わったことが衝撃センサ９１によって検出されると、その検出信号に基づき制御装置９２からインフレータ３１に対し、これを作動させるための作動信号が出力される。この作動信号に応じてインフレータ３１のガス噴出部３１ａから膨張用ガスが噴出されると、その膨張用ガスは、まず図９（ａ）に示すようにインナチューブ８０内に供給される。この膨張用ガスＧ１により、インナチューブ８０が膨張を開始する。
【０１００】
膨張用ガスＧ１の一部は、インナチューブ８０の壁面に当たることで、前下方へ流れ方向を変える。この膨張用ガスＧ１は、開口８６からインナチューブ８０の周りの後下膨張部５６へ流出する。
【０１０１】
後下膨張部５６では、膨張用ガスＧ１が供給されることで内圧が上昇し、同後下膨張部５６が折り状態を解消（展開）しながら膨張を開始する。後下膨張部５６の展開及び膨張に伴い、後下区画部６０が車幅方向の両側へ引っ張られて緊張状態となる。
【０１０２】
また、後下膨張部５６に供給された膨張用ガスＧ１の一部は、後上連通路６８を通って前上膨張部５７の後部に流入する。前上膨張部５７に流入した膨張用ガスＧ１の一部は、環状結合部７５とエアバッグ本体４１の後端部との間を流れ、他の一部は、環状結合部７５と前上区画部７０及び下環状結合部７４との間を流れる。
【０１０３】
また、後下膨張部５６に供給された膨張用ガスＧ１の他の一部は、前下連通路６７を通って前上膨張部５７の前部に流入する。前上膨張部５７に流入した膨張用ガスＧ１の一部は、前上区画部７０とエアバッグ本体４１の前端部との間を流れ、他の一部は、前上区画部７０及び下環状結合部７４と環状結合部７５との間を流れる。
【０１０４】
膨張用ガスＧ１の供給された前上膨張部５７は、後下膨張部５６に遅れて折り状態を解消（展開）しながら膨張を開始する。
上記のように、後下膨張部５６及び前上膨張部５７が展開及び膨張する過程で、図３における収納部２４の近くでシートパッド２２が押圧され、破断予定部２６においてシートパッド２２が破断される。エアバッグ本体４１は、ガス発生器３０の近傍部分を収納部２４内に残した状態で、同収納部２４から前上方へ向けて飛び出す。
【０１０５】
固定部５５においてサイドフレーム部２１に固定されているエアバッグ本体４１は、隣り合う車両用シート１３，１４間で、固定部５５から前上方へ向けて展開及び膨張する。
この際、エアバッグ本体４１は、ガス発生器３０からの膨張用ガスＧ１により、展開及び膨張の完了時よりも高い位置まで展開及び膨張しようとする。エアバッグ本体４１は、前方へ揺動し、続けて、上記前方への揺動の反動で後方へ揺動しようとする。
【０１０６】
しかし、図１０に示すように、エアバッグ本体４１が展開及び膨張する方向の前方には、天井部（オーバーヘッドコンソール）２７が位置している。この天井部２７は、車両１０の天井から下方へ突出している。
【０１０７】
しかも、エアバッグ本体４１の上端面において第１揺動抑制面５１及び第２揺動抑制面５２を有する平坦面は、同エアバッグ本体４１の展開非膨張状態で、後側ほど高くなるように傾斜している。第１揺動抑制面５１は第２揺動抑制面５２よりも高い箇所に位置している。
【０１０８】
そのため、上記のように、展開及び膨張の完了時よりも高い位置に達したエアバッグ本体４１は、第２揺動抑制面５２よりも後方で高い箇所に位置する第１揺動抑制面５１において、第２揺動抑制面５２よりも先に、天井部２７の下面の後部に接触する。第１揺動抑制面５１と天井部２７との間に生ずる摩擦により、エアバッグ本体４１の前方へ向かう揺動の勢いが弱められる。
【０１０９】
また、上記前方への揺動の反動で後方へ揺動しようとするエアバッグ本体４１は、図１１に示すように、そのエアバッグ本体４１の上端面のうち第１揺動抑制面５１の前方に形成された第２揺動抑制面５２において、上記第１揺動抑制面５１の接触後に、天井部２７に接触する。この接触は、天井部２７の下面のうち、第１揺動抑制面５１との接触箇所よりも前側の箇所で行なわれる。第２揺動抑制面５２と天井部２７との間に生ずる摩擦により、エアバッグ本体４１の後方へ向かう揺動の勢いが弱められる。
【０１１０】
なお、図１０及び図１１では、周縁結合部４６，４８、結合部６５、前上区画部７０、上環状結合部７１、下環状結合部７４及び環状結合部７５の図示が省略されている。図４（ａ），（ｂ）についても同様である。
【０１１１】
従って、エアバッグ本体４１が前方へ揺動する場合と後方へ揺動する場合とで、天井部２７との最適な接触状態が異なっても、前方への揺動時には第１揺動抑制面５１を天井部２７に接触させ、その後の後方への揺動時には第１揺動抑制面５１よりも前方の第２揺動抑制面５２を天井部２７に接触させる。こうすることで、第１揺動抑制面５１及び第２揺動抑制面５２を天井部２７に最適な接触状態で接触させることが可能である。
【０１１２】
また、本実施形態では、第１揺動抑制面５１及び第２揺動抑制面５２がいずれも平坦面により構成されていることから、湾曲面等の非平坦面により構成された場合に比べ、天井部２７に接触したときの接触面積が多くなる。そのため、第１揺動抑制面５１と天井部２７との間に生ずる摩擦が大きくなり、エアバッグ本体４１の前方への揺動を抑制するより大きな効果を得ることができる。また、第２揺動抑制面５２と天井部２７との間に生ずる摩擦が大きくなり、エアバッグ本体４１の後方への揺動を抑制するより大きな効果を得ることができる。
【０１１３】
従って、第１揺動抑制面５１及び第２揺動抑制面５２の天井部２７との接触がないものに比べ、また、支持板がガス発生器の上下両側でエアバッグを支持したり、テザーを用いたりする従来のものに比べ、展開及び膨張の途中におけるエアバッグ本体４１の揺動量が少なくなる。エアバッグ本体４１を乗員Ｐ１の側方に安定した姿勢で位置させることが可能となる。
【０１１４】
ここで、エアバッグ本体４１が天井部２７に接触した状態で展開及び膨張を完了すると、エアバッグ本体４１が上下方向の中間部分で折れ曲がったり、乗員Ｐ１の側方から前方又は後方へ外れた箇所に位置したりするおそれがある。
【０１１５】
この点、エアバッグ本体４１の展開及び膨張の完了時には、途中よりも、車幅方向における膨張厚みが大きくなる。一方で、エアバッグ本体４１は、後端部に設定した固定部５５においてサイドフレーム部２１に固定されている。そのため、図４（ｂ）及び図６に示すように、エアバッグ本体４１の上端は、上述した展開及び膨張の途中よりも低くなり、第１揺動抑制面５１及び第２揺動抑制面５２がともに天井部２７から下方へ離間する。従って、天井部２７との接触に起因してエアバッグ本体４１が上下方向に折れ曲がったり、乗員Ｐ１の側方から前方又は後方へ外れた箇所に位置したりすることが起こりにくい。上述したように、展開及び膨張の途中だけでなく、完了時にも、エアバッグ本体４１が乗員Ｐ１の側方に安定した姿勢で位置する。
【０１１６】
すなわち、エアバッグ本体４１は、両車両用シート１３，１４に着座している乗員Ｐ１，Ｐ２間に位置する。図４（ａ）及び図５に示すように、エアバッグ本体４１の後下膨張部５６の一部は乗員Ｐ１の胸部ＰＴの側方に位置し、前上膨張部５７は、乗員Ｐ１の頭部ＰＨの側方に位置する。前上区画部７０は、頭部ＰＨの前側に位置し、環状結合部７５は頭部ＰＨの後側に位置する。後下膨張部５６の下端部は、乗員Ｐ１とセンターコンソールボックス１５との間に位置する。
【０１１７】
そのため、上記エアバッグ本体４１は、乗員Ｐ１の上半身の側方に位置することとなり、衝撃の加わった側壁部１２側へ倒れ込む乗員Ｐ１の上半身を受け止め、衝撃から乗員Ｐ１を保護する。
【０１１８】
なお、側壁部１１に対し側方から衝撃が加わった場合については説明しないが、上記と同様の作用が行なわれて、車両用シート１４に着座している乗員Ｐ２が衝撃から保護される。
【０１１９】
本実施形態によると、上記以外にも、次の効果が得られる。
・図９（ａ）に示すように、前上膨張部５７に、上下方向に延びて同前上膨張部５７を前後に区画する前上区画部７０が設けられることで、前上膨張部５７の剛性が高められる。そのため、展開及び膨張の途中にエアバッグ本体４１が前後方向に揺動して、第１揺動抑制面５１及び第２揺動抑制面５２が天井部２７に接触したときに、前上膨張部５７が上下方向へ折れ曲がるのを抑制することができる。
【０１２０】
・ガス発生器３０で発生された膨張用ガスＧ１の一部は、前上膨張部５７において前上区画部７０が設けられた箇所では、前上区画部７０と、エアバッグ本体４１の前端部との間を、その前上区画部７０に沿って下方から上方へ向けて流れる。
【０１２１】
これに対し、図９（ａ），（ｂ）に示すように、前上区画部７０の上端部に接続された上環状結合部７１は、一対の本体布部４４，４５を、互いに接触させた状態で結合させている。この上環状結合部７１のうち、前上区画部７０の上端部から、エアバッグ本体４１の前端部に向けて突出する部分、すなわち、上環状結合部７１の上半部が、突出部７２として機能し、膨張用ガスＧ１の上方へ向かう流れを妨げようとする。
【０１２２】
従って、上記上環状結合部７１（突出部７２及びガス溜め部７３）が設けられない場合に比べ、膨張用ガスＧ１が前上区画部７０に沿って上方へ流れにくくなる。その分、前上膨張部５７のうち、前上区画部７０よりも突出部７２の突出している側である前側の部分の内圧が高くなる。前上膨張部５７が上下方向へ折れ曲がるのをより抑制することができる。
【０１２３】
・また、上記上環状結合部７１のうち、突出部７２の先端から、同突出部７２の下側を前上区画部７０に向けて延びる部分が、すなわち上環状結合部７１の下半部が、ガス溜め部７３として機能する。そのため、上記のように突出部７２によって上方への流れを妨げられた膨張用ガスＧ１の一部は、ガス溜め部７３と前上区画部７０の上端部との間に溜められる。この膨張用ガスＧ１は、ガス溜め部７３よりも上方へ流れることを規制される。
【０１２４】
従って、突出部７２が設けられ、かつガス溜め部７３が設けられない場合に比べ、前上膨張部５７のうち、前上区画部７０よりも前側部分の内圧がさらに高くなる。前上膨張部５７が上下方向へ折れ曲がるのをさらに抑制することができる。
【０１２５】
・増厚布部４７を用いずにエアバッグ本体４１の上端部を形成することも可能である。この場合には、上記周縁結合部４６を延長することで、エアバッグ本体４１における乗員Ｐ１側の本体布部４４の上端周縁部と、反乗員Ｐ１側の本体布部４５の上端周縁部とを互いに接触させた状態で結合させる。このようにしても、エアバッグ本体４１の上端部に第１揺動抑制面５１及び第２揺動抑制面５２を形成することが可能である。しかし、エアバッグ本体４１が展開及び膨張したときに、そのエアバッグ本体４１の上端部の車幅方向の厚みを大きくすることが困難である。これは、両本体布部４４，４５が結合された箇所では、エアバッグ本体４１の車幅方向の厚みが「０」となり、その近傍部分である同エアバッグ本体４１の上端部の車幅方向の厚みを規制するからである。
【０１２６】
この点、本実施形態では、エアバッグ本体４１の上端部が、平坦面を有する布片からなる増厚布部４７によって構成されている。増厚布部４７が、その周縁部において周縁結合部４６，４８により、残部４２の上端周縁部に結合されている。そのため、エアバッグ本体４１が展開及び膨張したときの上端部の車幅方向の厚みを大きくすることができる。これは、エアバッグ本体４１のうち増厚布部４７が結合された箇所では、その増厚布部４７の車幅方向の寸法が、エアバッグ本体４１の同方向の膨張厚みとなるからである。
【０１２７】
・本実施形態では、上環状結合部７１の全体が、前上区画部７０と、エアバッグ本体４１の前端部との間に配置されている。上環状結合部７１は、前上区画部７０と環状結合部７５との間には配置されていない。
【０１２８】
そのため、上環状結合部７１の少なくとも一部（全部を含む）が前上区画部７０と環状結合部７５との間に設けられた場合に比べ、前上膨張部５７において、前上区画部７０と環状結合部７５との間の領域が車幅方向に大きく膨張する。この領域によって乗員Ｐ１、特に頭部ＰＨを衝撃から保護する性能を高めることができる。
【０１２９】
・エアバッグ本体４１では、上記のように、後下膨張部５６及び前上膨張部５７の順に展開及び膨張が行なわれる。そのため、後下区画部６０が設けられず、エアバッグ本体４１が一気に展開及び膨張する場合とは異なり、その展開及び膨張の初期に、エアバッグ本体４１の前上部分（前上膨張部５７）によって乗員Ｐ１の上部、例えば頭部ＰＨ等が押圧されるのを抑制することができる。
【０１３０】
・エアバッグ本体４１が乗員Ｐ１の上半身を受け止める際、エアバッグ本体４１に対しては、これに加わる側方からの力の分力として、前方へ向かう力が加わる。
しかし、インナチューブ８０が膨張用ガスにより筒状に膨らせられることにより、同インナチューブ８０の剛性が高められる。これに伴い、後下膨張部５６のうち、インナチューブ８０の周りの箇所の剛性も高められる。
【０１３１】
そのため、上記のように、剛性の高められた後下膨張部５６でエアバッグ本体４１が折れ曲がることが起こりにくい。エアバッグ本体４１の多くの部分は、乗員Ｐ１の上半身の側方で展開及び膨張した状態を維持する。そのため、衝撃に応じて側方へ倒れ込む乗員Ｐ１をエアバッグ本体４１によって受け止めて、乗員Ｐ１に加わる衝撃を緩和することができる。
【０１３２】
・特許文献１における支持板やテザーを追加することなく、一般的なファーサイドエアバッグ装置の構成部品のみで、展開及び膨張する途中におけるエアバッグ本体４１の前後方向の揺動を抑制することができる。
【０１３３】
・上環状結合部７１が、その後端部において前上区画部７０に接続されている。そのため、上環状結合部７１及び前上区画部７０を続けて縫製により形成することができる。
同様に、下環状結合部７４が、その前端部において前上区画部７０に接続されている。そのため、下環状結合部７４及び前上区画部７０を続けて縫製により形成することができる。
【０１３４】
このように、上環状結合部７１、前上区画部７０及び下環状結合部７４を連続して形成することができ、縫製作業が容易である。
なお、上記実施形態は、これを以下のように変更した変形例として実施することもできる。
【０１３５】
＜エアバッグ本体４１について＞
・エアバッグ本体４１は、車両用シート１３，１４のうち隣の車両用シート１４，１３に近い側の側部であることを前提とし、サイドフレーム部２１とは異なる強度部材に固定されてもよい。
【０１３６】
また、エアバッグ本体４１は、車両用シート１３，１４の上記側部の近傍に位置する部材、例えばセンターコンソールボックス１５に固定されてもよい。
・エアバッグ本体４１は、上記実施形態のようにその略全体が膨張するものであってもよいが、膨張用ガスが供給されず膨張することのない非膨張部を一部に有するものであってもよい。
【０１３７】
・図１２及び図１３に示すように、増厚布部４７が用いられることなくエアバッグ本体４１の上端部が形成されてもよい。この場合、周縁結合部４６の前部と後部とがエアバッグ本体４１の上端部で繋がるように同周縁結合部４６が延長される。エアバッグ本体４１における乗員Ｐ１側の本体布部４４の上端周縁部と、反乗員Ｐ１側の本体布部４５の上端周縁部とが、周縁結合部４６の一部によって結合される。このようにしても、エアバッグ本体４１の上端部に第１揺動抑制面５１及び第２揺動抑制面５２を形成することが可能である。
【０１３８】
ただし、上述したように、エアバッグ本体４１が展開及び膨張したときに、同エアバッグ本体４１の上端部の車幅方向の厚みが、増厚布部４７を用いた上記実施形態よりも小さくなる。
【０１３９】
・エアバッグ本体４１が上記実施形態よりも下方へ延長され、同エアバッグ本体４１による乗員Ｐ１，Ｐ２の保護領域が下方へ拡大されてもよい。
この場合、エアバッグ本体４１の下方への延長に伴い、固定部５５の位置が上記実施形態よりも低い箇所に変更されてもよい。
【０１４０】
＜第１揺動抑制面５１及び第２揺動抑制面５２について＞
・第１揺動抑制面５１及び第２揺動抑制面５２が、共通の揺動抑制面によって構成されてもよい。この場合には、共通の揺動抑制面が、エアバッグ本体４１の前方への揺動も後方への揺動も抑制することになる。
【０１４１】
・第１揺動抑制面５１がエアバッグ本体４１の上端面の複数箇所に形成されてもよい。また、第２揺動抑制面５２がエアバッグ本体４１の上端面の複数箇所に形成されてもよい。
【０１４２】
・エアバッグ本体４１の上端面が湾曲面等の非平坦面を有していて、その非平坦面の少なくとも一部によって第１揺動抑制面５１及び第２揺動抑制面５２が構成されてもよい。
＜後下区画部６０について＞
・図１２に示すように、後下区画部６０が省略されてもよい。この場合、後下区画部６０による膨張厚みの規制が行なわれなくなる。そのため、エアバッグ本体４１の後下膨張部５６の車幅方向における膨張厚みが大きくなって剛性が増し、後下膨張部５６が前上膨張部５７を安定した状態で支える。
【０１４３】
＜前上区画部７０、上環状結合部７１及び下環状結合部７４について＞
・前上区画部７０及び上下両環状結合部７１，７４の組合わせは、互いに前後方向に離間した複数箇所に設けられてもよい。
【０１４４】
図１２は、上記組合わせが、前上膨張部５７の前後方向における中央部から前方へ離れた箇所と、同中央部から後方へ離れた箇所との２箇所に設けられた変形例を示している。後側の組合わせは、環状結合部７５に代わるものである。
【０１４５】
両組合わせは、乗員Ｐ１の頭部ＰＨの前側と後側とに設けられることが好ましい。
この場合、各上環状結合部７１の全体は、各前上区画部７０と、エアバッグ本体４１の前端部及び後端部のうち、同前上区画部７０に近いものとの間に配置されて同前上区画部７０の上端部に接続される。前上区画部７０毎の突出部７２は、上環状結合部７１のうち、前上区画部７０の上端部から、エアバッグ本体４１の前端部及び後端部のうち同前上区画部７０に近いものに向けて突出する部分、すなわち、各上環状結合部７１の上半部により構成される。前上区画部７０毎のガス溜め部７３は、各上環状結合部７１のうち、突出部７２の先端から、同突出部７２の下側を前上区画部７０に向けて延びる部分、すなわち、各上環状結合部７１の下半部により構成される。
【０１４６】
上記の変形例では、ガス発生器３０で発生されてエアバッグ本体４１内を流れる膨張用ガスＧ１の一部は、前側の前上区画部７０と、エアバッグ本体４１の前端部との間を、その前上区画部７０に沿って下方から上方へ向けて流れる。また、上記膨張用ガスＧ１の他の一部は、後側の前上区画部７０と、エアバッグ本体４１の後端部との間を、その前上区画部７０に沿って下方から上方へ向けて流れる。
【０１４７】
前上区画部７０毎の突出部７２は、膨張用ガスＧ１が下方から上方へ向けて流れるのを妨げようとする。また、前上区画部７０毎のガス溜め部７３は、前上区画部７０との間に膨張用ガスＧ１を溜める。そのため、前側の前上区画部７０とエアバッグ本体４１の前端部との間の部分の内圧が高くなる。後側の前上区画部７０とエアバッグ本体４１の後端部との間の部分の内圧が高くなる。
【０１４８】
また、突出部７２及びガス溜め部７３はエアバッグ本体４１の車幅方向の膨張厚みを規制するところ、これらの突出部７２及びガス溜め部７３が両前上区画部７０の間に設けられないため、前上膨張部５７において、両前上区画部７０によって挟まれた領域が車幅方向に大きく膨張する。この領域によって頭部ＰＨを衝撃から保護する性能が高くなる。
【０１４９】
・上記図１２における前上区画部７０及び上下両環状結合部７１，７４の組合わせのうち、前側に位置する組合わせが省略されてもよい。
・ガス溜め部７３が省略されてもよい。この場合でも、前上区画部７０に沿って下方から上方へ向かう膨張用ガスＧ１の流れを突出部７２によって妨げる効果は得られる。
【０１５０】
・突出部７２は、非円弧状、例えば直線状をなすように形成されてもよい。
・上環状結合部７１が省略されてもよい。この場合でも、前上膨張部５７の剛性を高める効果を得ることができる。
【０１５１】
・ガス溜め部７３が上記実施形態よりも短くされて、同ガス溜め部７３の後端が前上区画部７０から離間されてもよい。
・前上区画部７０の構造が、シームと呼ばれる構造から、テザーと呼ばれる構造に変更されてもよい。この場合、前上区画部７０は、後下区画部６０と同様に布片を用いて形成される。
【０１５２】
・図１２に示すように、前上区画部７０の下端部が下環状結合部７４を交差する位置、すなわち、下環状結合部７４によって囲まれた円形の領域まで延ばされてもよい。
なお、図示はしないが、各前上区画部７０の上端部と上環状結合部７１との関係についても、上記と同様の変更がなされてもよい。
【０１５３】
＜インナチューブ８０について＞
・インナチューブ８０は、ガス発生器３０の少なくともガス噴出部３１ａを取り囲んだ状態で上下方向へ延びるものであればよい。ガス発生器３０は、ガス噴出部３１ａよりも下方部分のうち、下端部を含み、かつ少なくとも一部がインナチューブ８０から露出するような態様で配置されてもよい。
【０１５４】
＜その他＞
・上記実施形態のエアバッグ４０から、前上区画部７０、上環状結合部７１及び下環状結合部７４が省略されてもよい。
【０１５５】
・上記実施形態のエアバッグ４０から環状結合部７５が省略されてもよい。
・エアバッグ４０から、後下区画部６０、前上区画部７０、上環状結合部７１、下環状結合部７４及び環状結合部７５の全てが省略されて、エアバッグ本体４１のみによってエアバッグ４０が構成されてもよい。
【０１５６】
・上記ファーサイドエアバッグ装置は、天井のうちエアバッグ４０の展開方向前方にオーバーヘッドコンソール等の内装部品が取付けられていない車両にも適用可能である。この場合、天井が天井部２７を構成することになる。エアバッグ本体４１の上端面における第１揺動抑制面５１及び第２揺動抑制面５２が、天井部２７を構成する天井に接触することで、エアバッグ本体４１が展開及び膨張する途中の前後方向の揺動を抑制することができる。
【０１５７】
・上記ファーサイドエアバッグ装置は、天井の車幅方向における中央部分に、オーバーヘッドコンソールとは異なる内装部品が取付けられた車両にも適用可能である。この場合、内装部品が天井部２７を構成することになる。
【０１５８】
・上記ファーサイドエアバッグ装置は、３つ以上の車両用シートが車幅方向に並設された車両にも適用可能である。この場合、車両の側方から側壁部に加わる衝撃に応じ、隣り合う車両用シート間でエアバッグを展開及び膨張させる。
【０１５９】
・上記ファーサイドエアバッグ装置が適用される車両には、自家用車に限らず各種産業車両も含まれる。
・上記ファーサイドエアバッグ装置は、車両以外の乗物、例えば航空機、船舶等に装備されて、乗物用シートに着座している乗員を側突等による衝撃から保護するファーサイドエアバッグ装置にも適用可能である。
【０１６０】
その他、上記各実施形態から把握できる技術的思想について、それらの効果とともに記載する。
（イ）請求項１に記載のファーサイドエアバッグ装置において、前記天井部は、前記乗物の天井のうち、隣り合う乗物用シート間の上方に取付けられた内装部品により構成されている。
【０１６１】
上記の構成によれば、内装部品からなる天井部が天井から下方へ突出するところ、エアバッグが前方へ揺動する際には第１揺動抑制面が天井部のいずれかの箇所に接触し、同エアバッグが後方へ揺動する際には第２揺動抑制面が天井部のいずれかの箇所に接触する。
【０１６２】
従って、天井部が天井から下方へ突出するものであって、エアバッグが前方へ揺動する場合と後方へ揺動する場合とで、天井部との接触位置、接触面等の最適な接触状態が異なる場合であっても、その最適な接触状態となるように第１揺動抑制面及び第２揺動抑制面を天井部に接触させることが可能となる。
【０１６３】
（ロ）請求項３に記載のファーサイドエアバッグ装置において、前記第２揺動抑制面は、前記天井部のうち、前記第１揺動抑制面が接触する箇所よりも前方の箇所に接触することで前記エアバッグの後方への揺動を抑制するものである。
【０１６４】
上記の構成によれば、第１揺動抑制面が天井部に接触する。その後、第１揺動抑制面よりも前方に形成された第２揺動抑制面が、天井部のうち、第１揺動抑制面が接触する箇所よりも前方の箇所に接触する。
【０１６５】
従って、エアバッグが前方へ揺動する場合と後方へ揺動する場合とで、天井部のエアバッグとの最適な接触位置が異なる場合であっても、第１揺動抑制面及び第２揺動抑制面を天井部の上記最適な接触位置に接触させることが可能となる。
【０１６６】
（ハ）請求項４又は５に記載のファーサイドエアバッグ装置において、前記第２揺動抑制面は、前記第１揺動抑制面よりも前方に形成されており、前記エアバッグの上端面において前記第１揺動抑制面及び前記第２揺動抑制面を有する平坦面は、同エアバッグが展開のみされて膨張されていない状態で、後側ほど高くなるように傾斜している。
【０１６７】
上記の構成によれば、エアバッグが前方へ揺動しようとすると、第２揺動抑制面よりも後方で高い箇所に位置する第１揺動抑制面が、その第２揺動抑制面よりも先に天井部に接触する。その後に、エアバッグが後方へ揺動しようとすると、第１揺動抑制面よりも前方の第２揺動抑制面が天井部に接触する。
【符号の説明】
【０１６８】
１０…車両（乗物）、１１，１２…側壁部、１３，１４…車両用シート（乗物用シート）、２７…天井部、３０…ガス発生器、４０…エアバッグ、４１…エアバッグ本体、４２…残部、４４，４５…本体布部、５１…第１揺動抑制面、５２…第２揺動抑制面、５５…固定部、５６…後下膨張部、５７…前上膨張部、７０…前上区画部、７１…上環状結合部、７２…突出部、７３…ガス溜め部、Ｇ１…膨張用ガス、Ｐ１，Ｐ２…乗員。
【図１】
2018199401.tif 000003
【図２】
2018199401.tif 000004
【図３】
2018199401.tif 000005
【図４】
2018199401.tif 000006
【図５】
2018199401.tif 000007
【図６】
2018199401.tif 000008
【図７】
2018199401.tif 000009
【図８】
2018199401.tif 000010
【図９】
2018199401.tif 000011
【図１０】
2018199401.tif 000012
【図１１】
2018199401.tif 000013
【図１２】
2018199401.tif 000014
【図１３】
2018199401.tif 000015